(57)【要約】【課題】意匠性と耐傷性を両立することが可能な、発光性化粧シート及び機器操作システムを提供する。【解決手段】機器操作システムが備える発光性化粧シート１は、圧電素子を有する検知センサ部４ａと、圧電素子で検出した情報に応じて発光する照明機能部４ｃを含む透光性の筐体層４と、筐体層４に積層され、光の透過部８ａと光の遮蔽部８ｂとが絵柄に応じて形成された隠蔽シート層８と、隠蔽シート層８に積層され、模様が印刷された意匠性表面保護層１２を備え、検知センサ部４ａは、筐体層４とアクリル基材部４ｂに挟まれ、且つ平面視で透過部８ａと重ならない位置に配置され、照明機能部４ｃは、平面視で検知センサ部４ａ及びアクリル基材部４ｂと重ならず、且つ透過部８ａと重なる位置に配置され、透過部８ａと意匠性表面保護層１２は、ＪＩＳ  Ｋ７３６１に準拠して測定した全光線透過率が４０％以上である。【選択図】図１
2019078532.tif 000002
【特許請求の範囲】
【請求項１】
透光性を有する筐体層と、
前記筐体層に積層され、且つ予め設定した絵柄に応じて、光を透過する透過部と光を遮蔽する遮蔽部とが形成された隠蔽シート層と、
前記隠蔽シート層に積層され、且つ予め設定した模様が印刷された意匠性表面保護層と、を備え、
前記筐体層は、圧電素子を有する検知センサ部と、アクリル素材で形成されたアクリル基材部と、前記検知センサ部が前記圧電素子により検出した情報に応じて発光する照明機能部と、を含み、
前記検知センサ部は、前記筐体層のうち前記隠蔽シート層と対向する面と反対側の面と前記アクリル基材部に挟まれ、且つ平面視で前記透過部と重ならない位置に配置され、
前記照明機能部は、前記平面視で、前記検知センサ部及び前記アクリル基材部と重ならず、且つ前記透過部と重なる位置に配置され、
前記隠蔽シート層のうち透過部は、ＪＩＳ  Ｋ７３６１に準拠して測定した全光線透過率が４０％以上であり、
前記意匠性表面保護層は、ＪＩＳ  Ｋ７３６１に準拠して測定した全光線透過率が４０％以上であることを特徴とする発光性化粧シート。
【請求項２】
前記意匠性表面保護層は、ポリオレフィン系樹脂シートを用いて形成されていることを特徴とする請求項１に記載した発光性化粧シート。
【請求項３】
前記意匠性表面保護層に印刷された前記模様は、木目柄であることを特徴とする請求項１または請求項２に記載した発光性化粧シート。
【請求項４】
前記筐体層は、アクリル素材で形成され、且つＪＩＳ  Ｋ７３６１に準拠して測定した全光線透過率が９０％以上であることを特徴とする請求項１から請求項３のうちいずれか１項に記載した発光性化粧シート。
【請求項５】
前記筐体層の厚さは、２ｍｍ以上６ｍｍ以下の範囲内であることを特徴とする請求項１から請求項４のうちいずれか１項に記載した発光性化粧シート。
【請求項６】
請求項１から請求項５のうちいずれか１項に記載した発光性化粧シートと、
前記検知センサ部が前記圧電素子により検出した情報に応じて機器の動作を制御する動作制御部と、を備え、
前記透過部及び前記遮蔽部は、前記機器の操作を案内する操作案内表示が視認されるように形成されていることを特徴とする機器操作システム。
【発明の詳細な説明】
【技術分野】
【０００１】
本発明は、壁面や床面にセンサ及び情報を報知する機能を付加した発光性化粧シートと、発光性化粧シートを備えた機器操作システムに関する。
【背景技術】
【０００２】
住宅や家具等に適用する建材に備えたセンサを用いて人の動きを検知する技術として、例えば、特許文献１に開示されている技術がある。
特許文献１に開示されている技術では、床材において人の有無を確認する床センサを備えるシステムであり、閾値を設けた制御を実行することで、圧電素子を有する検知センサを有する床材に人が着席したか離席したかを判断する。
【先行技術文献】
【特許文献】
【０００３】
【特許文献１】特開２０１４−２３２０８９号公報
【発明の概要】
【発明が解決しようとする課題】
【０００４】
ところで、近年では、内装に用いる建材として、例えば、木目調の意匠性や、機能としての耐傷性が要求されている。
しかしながら、特許文献１に開示されている技術では、センサの機能を十分に発揮するとともに、建材として要求される意匠性と耐傷性を両立する発光性化粧シート（木目調デバイス）を形成することが困難であるという問題があった。
【０００５】
本発明は、上記事情に鑑みてなされたものであり、意匠性と耐傷性を両立することが可能な、発光性化粧シートと、発光性化粧シートを備えた機器操作システムを提供することを目的とする。
【課題を解決するための手段】
【０００６】
上記課題を解決するために、本発明の一態様は、筐体層と、隠蔽シート層と、意匠性表面保護層を備える発光性化粧シートである。筐体層は、透光性を有しており、圧電素子を有する検知センサ部と、アクリル素材で形成されたアクリル基材部と、検知センサ部が圧電素子により検出した情報に応じて発光する照明機能部を含む。隠蔽シート層は、筐体層に積層され、且つ予め設定した絵柄に応じて、光を透過する透過部と光を遮蔽する遮蔽部とが形成されている。意匠性表面保護層は、隠蔽シート層に積層され、且つ予め設定した模様が印刷されている。そして、検知センサ部は、筐体層のうち隠蔽シート層と対向する面と反対側の面とアクリル基材部に挟まれ、且つ平面視で透過部と重ならない位置に配置されている。これに加え、照明機能部は、平面視で、検知センサ部及びアクリル基材部と重ならず、且つ透過部と重なる位置に配置されている。また、隠蔽シート層のうち透過部は、ＪＩＳ  Ｋ７３６１に準拠して測定した全光線透過率が４０％以上であり、意匠性表面保護層は、ＪＩＳ  Ｋ７３６１に準拠して測定した全光線透過率が４０％以上である。
【０００７】
また、上記課題を解決するために、本発明の一態様は、発光性化粧シートと、発光性化粧シートが備える検知センサ部が圧電素子により検出した情報に応じて機器の動作を制御する動作制御部を備える機器操作システムである。そして、透過部及び遮蔽部は、機器の操作を案内する操作案内表示が視認されるように形成されている。
【発明の効果】
【０００８】
本発明の一態様によれば、模様（例えば、木目調）に応じた意匠性を有する意匠性表面保護層により、意匠性と耐傷性を両立することが可能となる。これに加え、隠蔽シート層及び意匠性表面保護層の全光線透過率を規定することで、光を透過するデバイスとして適用することが可能な、発光性化粧シートを提供することが可能となる。
また、本発明の一態様によれば、検知センサ部が圧電素子により検出した情報に応じて、透過した光により機器の操作を案内する操作案内表示が視認されるとともに、例えば、照明機器等、建築物に設けられている機器の動作を制御することが可能となる。
【図面の簡単な説明】
【０００９】
【図１】本発明の第一実施形態における発光性化粧シートの構成を表す断面図である。
【図２】本発明の第一実施形態における機器操作システムの構成を表すブロック図である。
【発明を実施するための形態】
【００１０】
図面を参照して、本発明の実施形態を以下において説明する。以下の説明で参照する図面の記載において、同一または類似の部分には、同一または類似の符号を付している。ただし、図面は模式的なものであり、厚さと平面寸法との関係や、各層の厚さの比率等は、現実のものとは異なることに留意すべきである。したがって、具体的な厚さや寸法は、以下の説明を参酌して判断すべきものである。また、図面相互間においても、互いの寸法の関係や比率が異なる部分が含まれていることは勿論である。
【００１１】
さらに、以下に示す実施形態は、本発明の技術的思想を具体化するための構成を例示するものであって、本発明の技術的思想は、構成部品の材質や、それらの形状、構造、配置等を下記のものに特定するものでない。本発明の技術的思想は、特許請求の範囲に記載された請求項が規定する技術的範囲内において、種々の変更を加えることが可能である。また、以下の説明における「左右」や「上下」の方向は、単に説明の便宜上の定義であって、本発明の技術的思想を限定するものではない。よって、例えば、紙面を９０度回転すれば「左右」と「上下」とは交換して読まれ、紙面を１８０度回転すれば「左」が「右」になり、「右」が「左」になることは勿論である。
【００１２】
（第一実施形態）
以下、本発明の第一実施形態について、図面を参照しつつ説明する。
（発光性化粧シート）
図１を参照して、第一実施形態の発光性化粧シート１の構成について説明する。
【００１３】
第一実施形態では、一例として、発光性化粧シート１を、建築物（家屋等）の壁面に設置した場合について説明する。
発光性化粧シート１は、図１中に表すように、基材２と、筐体層４と、第一接着層６と、隠蔽シート層８と、第二接着層１０と、意匠性表面保護層１２を備える。
【００１４】
（基材）
基材２は、例えば、樹脂フィルムを用いて形成されたシート状の層である。
基材２を形成する樹脂フィルムは、特に限定されるものではなく、既知の樹脂フィルムを用いることが可能である。
【００１５】
（筐体層）
筐体層４は、基材２に積層されている。
また、筐体層４は、アクリル素材で形成されており、ＪＩＳ  Ｋ７３６１に準拠して測定した全光線透過率が９０［％］以上である。すなわち、筐体層４は、透光性を有している。なお、基材２のうち、筐体層４が積層される面と反対側の面は、建築物の壁面を形成する壁材に接着されている。
筐体層４の厚さは、２［ｍｍ］以上６［ｍｍ］以下の範囲内である。
また、筐体層４は、検知センサ部４ａと、アクリル基材部４ｂと、照明機能部４ｃを含む。なお、図１中には、説明のために、検知センサ部４ａ、アクリル基材部４ｂ、照明機能部４ｃの配置イメージを仮想的に図示している。
【００１６】
（検知センサ部）
検知センサ部４ａは、筐体層４のうち隠蔽シート層８と対向する面と反対側の面とアクリル基材部４ｂに挟まれており、圧電素子（図示せず）を有している。
また、検知センサ部４ａは、平面視で透過部８ａと重ならない位置に形成されている。
なお、透過部８ａの説明は、後述する。
【００１７】
また、「平面視」とは、基材２、筐体層４、第一接着層６、隠蔽シート層８、第二接着層１０、意匠性表面保護層１２を積層した方向（図１では上下方向）から発光性化粧シート１を見た視点である。なお、図１中では、発光性化粧シート１の上側（意匠性表面保護層１２の側）から見た視点を、「平面視」と規定する。
検知センサ部４ａが有する圧電素子は、予め設定された値を超える圧力を受けると、照明機能部４ｃが有するＬＥＤ素子へ信号を出力する。
【００１８】
（アクリル基材部）
アクリル基材部４ｂは、アクリル素材で形成されており、検知センサ部４ａを間に挟んで、筐体層４のうち隠蔽シート層８と対向する面と反対側の面と対向している。
（照明機能部）
照明機能部４ｃは、ＬＥＤ素子（図示せず）を有している。
照明機能部４ｃが有するＬＥＤ素子は、検知センサ部４ａが有する圧電素子から入力を受けた信号に応じて発光する。
また、照明機能部４ｃは、平面視で、検知センサ部４ａ及びアクリル基材部４ｂと重ならず、且つ透過部８ａと重なる位置に配置されている。
【００１９】
（第一接着層）
第一接着層６は、筐体層４と隠蔽シート層８との間に介装する層であり、筐体層４と隠蔽シート層８とを接着して結合させる。
第一接着層６の材料としては、例えば、ウレタン樹脂系接着剤を用いることが可能である。
【００２０】
（隠蔽シート層）
隠蔽シート層８は、予め設定した絵柄に応じて、光を透過する透過部８ａと光を遮蔽する遮蔽部８ｂとが形成された層であり、第一接着層６を間に挟んで、筐体層４に積層されている。したがって、隠蔽シート層８は、照明機能部４ｃが有するＬＥＤ素子が発光した際に、絵柄を発現させる機能を有する層である。
【００２１】
第一実施形態では、一例として、遮蔽部８ｂに対する透過部８ａの配置を、発光性化粧シート１を設置した室内に存在する機器の操作の仕方を案内する内容のテキストを形成する配置とした場合について説明する。なお、機器についての説明は、後述する。すなわち、透過部８ａ及び遮蔽部８ｂは、機器の操作を案内する操作案内表示が視認されるように形成されている。
また、隠蔽シート層８のうち透過部８ａは、ＪＩＳ  Ｋ７３６１に準拠して測定した全光線透過率が４０［％］以上である。
【００２２】
（第二接着層）
第二接着層１０は、隠蔽シート層８と意匠性表面保護層１２との間に介装する層であり、隠蔽シート層８と意匠性表面保護層１２とを接着して結合させる。
第二接着層１０の材料としては、第一接着層６と同様、例えば、ウレタン樹脂系接着剤を用いることが可能である。
【００２３】
（意匠性表面保護層）
意匠性表面保護層１２は、予め設定した模様が印刷されたポリオレフィン系樹脂シートを用いて形成されており、第二接着層１０を間に挟んで、隠蔽シート層８に積層されている。すなわち、意匠性表面保護層１２は、発光性化粧シート１の意匠層と表面保護層として機能する層である。
第一実施形態では、一例として、意匠性表面保護層１２に印刷されている模様を、木目柄とした場合について説明する。
また、意匠性表面保護層１２は、ＪＩＳ  Ｋ７３６１に準拠して測定した全光線透過率が４０［％］以上である。
【００２４】
（機器操作システム）
図１を参照しつつ、図２を用いて、第一実施形態の機器操作システム１００の構成について説明する。
機器操作システム１００は、図２中に表すように、発光性化粧シート１と、動作制御部２０を備える。
【００２５】
動作制御部２０は、制御線を介して発光性化粧シート１と接続されており、なお、制御線は、有線であってもよいし無線であってもよい。
また、動作制御部２０は、検知センサ部４ａが圧電素子により検出した情報に応じて、機器３０の動作を制御する。
具体的には、検知センサ部４ａが圧電素子により検出した振動に基づいて、壁面を叩くノック操作のパターンを判定し、判定されたノック操作のパターンに応じて機器３０の動作を制御する。なお、「ノック操作」とは、機器３０の操作に関連して行われる、発光性化粧シート１が設置された位置をノックする操作である。
【００２６】
第一実施形態では、一例として、機器３０を、照明装置とカーテン駆動装置とした場合について説明する。
照明装置は、発光性化粧シート１を設置した室内を照明する装置である。
カーテン駆動装置は、発光性化粧シート１を設置した室内に設けられたカーテンを開閉する装置である。
以上により、動作制御部２０は、室内に存在するユーザに向けて機器３０の操作を案内する操作案内表示を行い、ユーザにより行われた操作を検出すると、機器３０にコマンドを出力する。コマンドの入力を受けた機器３０は、入力されたコマンドに応じた動作を実行する。
【００２７】
（動作・作用）
以下、図１及び図２を参照して、第一実施形態の発光性化粧シート１と、機器操作システム１００を用いて行う動作と作用を説明する。
ユーザが、照明装置またはカーテン駆動装置を操作しようとするにあたり、まず、操作案内表示が行われていない（顕現されていない）状態で、室内において発光性化粧シート１が設けられた位置の周辺に対し、１回のみノック操作を行う。なお、以降の説明では、操作案内表示が行われていない状態で、１回のみ行うノック操作を、「操作案内表示指示操作」と記載する場合がある。
【００２８】
操作案内表示指示操作が行われ、発光性化粧シート１に対し、検知センサ部４ａが有する圧電素子が予め設定された値を超える圧力を受けると、圧電素子が、照明機能部４ｃが有するＬＥＤ素子へ信号を出力する。
圧電素子から信号の入力を受けたＬＥＤ素子は、圧電素子から入力を受けた信号に応じて発光する。
【００２９】
ＬＥＤ素子が発光した光は、筐体層４、透過部８ａ、意匠性表面保護層１２を順に透過し、操作案内表示を顕現させる。これにより、ユーザは、壁面にて操作案内表示を視認することが可能となる。
このとき、隠蔽シート層８は、遮蔽部８ｂに対する透過部８ａの配置を、発光性化粧シート１を設置した室内に存在する機器の操作の仕方を案内する内容のテキストを形成する配置として形成されている。
【００３０】
具体的には、照明装置の点灯（オン）及び消灯（オフ）の操作の仕方を案内する内容のテキストと、カーテンを開く操作の仕方を案内する内容のテキストと、カーテンを閉じる操作の仕方を案内する内容のテキストを形成する配置である。これは、照明装置のオン及びオフを行うために１回のノック操作を行う内容のテキストと、カーテンを開くために２回のノック操作を行う内容のテキストと、カーテンを閉じるために３回のノック操作を行う内容のテキストである。
【００３１】
なお、操作案内表示が表示された状態は、機器３０に所定の動作を行わせるためのノック操作が受け付け可能な状態であるため、操作案内表示を視認することで、ユーザは、機器３０を動作させるためのノック操作が受け付け可能な状態であることを確認する。
上記の操作案内表示指示操作により操作案内表示を表示させた状態で、照明装置を点灯または消灯させたい場合、ユーザは、１回のノック操作（照明オンオフ操作）を行う。
【００３２】
そして、照明装置は、照明オンオフ操作が行われるまで消灯状態であった場合には、照明オンオフ操作が行われたことに応じて点灯するように動作する。一方、照明装置は、照明オンオフ操作が行われるまで点灯状態であった場合には、照明オンオフ操作が行われたことに応じて消灯するように動作する。
また、操作案内表示指示操作により操作案内表示を表示させた状態で、カーテンを開きたい場合、ユーザは、２回連続によるノック操作（カーテン開操作）を行う。そして、カーテン駆動装置は、カーテン開操作が行われたことに応じて、カーテンが開くように駆動する。
【００３３】
また、カーテンが開いていく動作を停止させたい場合、ユーザは、カーテンが開いている動作中（開動作中）に、再度、カーテン開操作と同じ２回連続によるノック操作を行う。すなわち、開動作中における２回のノック操作は、開動作の停止を指示する開動作停止指示操作である。
また、操作案内表示指示操作により操作案内表示を表示させた状態で、カーテンを閉じたい場合には、ユーザは、３回連続によるノック操作（カーテン閉操作）を行う。そして、カーテン駆動装置は、カーテン閉操作が行われたことに応じて、カーテンを閉じるように駆動する。
【００３４】
また、カーテンが閉じていく動作を停止させたい場合、ユーザは、カーテンが閉じている動作中（閉動作中）において、再度、カーテン閉操作と同じ３回連続によるノック操作を行えばよい。すなわち、閉動作中における３回のノック操作は、閉動作の停止を指示する閉動作停止指示操作である。
なお、操作案内表示は、例えば、照明オンオフ操作、カーテン開操作、カーテン閉操作のうちのいずれも検出せずに一定時間が経過した時点で消去してもよい。すなわち、操作案内表示の表示が消去された状態では、操作案内表示が表示されていた箇所は、通常の壁面として発光性化粧シート１の模様（木目柄）が見えているのみであり、操作案内表示の存在や形跡は認識されない。
【００３５】
このため、第一実施形態の発光性化粧シート１及び機器操作システム１００であれば、壁面をノックすることにより機器３０を操作することが可能となる。ここで、壁面をノックするノック操作は、壁面における特定の位置に対してではなく、ノック操作に応じて壁面に生じた振動をセンサ部が検出可能な範囲であれば、壁面におけるいずれの位置に対しても行うことが可能である。
【００３６】
すなわち、例えば、タッチセンサを備える表示入力パネルの背面側に感圧センサを備えることで、表示入力パネル上を押圧したことに応じて感圧センサが圧力を検知し、圧力の検知に応じて表示入力パネルが表示を開始する構成を適用することも考えられる。
しかしながら、このような構成では、ユーザが操作可能な範囲は、表示入力パネルに対応する部分に限定される。
【００３７】
これに対し、第一実施形態の発光性化粧シート１及び機器操作システム１００であれば、上記のように、壁面に生じた振動をセンサ部が検出可能な範囲であれば、壁面において操作案内表示が表示される部分以外の領域までが操作可能な範囲となる。
これにより、ハンディタイプのリモートコントローラ等を備えていない構成であっても、例えば、壁面に設置したスイッチにより操作を行う場合と比較して、ユーザが機器３０を操作可能な物理的範囲を拡張することが可能となる。
【００３８】
また、機器３０を操作可能な物理的範囲が拡張されたうえで、複数の機器３０に対するいずれの操作も、ノック操作による振動を検知センサ部４ａが検出可能な同じ物理的範囲において、行うことが可能となる。
すなわち、第一実施形態の発光性化粧シート１及び機器操作システム１００であれば、複数の操作項目ごとに対応する操作が行われる場所を、特定の範囲に集約させることが可能となる。これにより、ユーザは、複数の機器３０をそれぞれ操作する際に、別の場所に移動するような必要がない。
【００３９】
また、機器３０の操作は、壁面を、操作項目に応じて回数を変えてノックするという操作である。つまり、ユーザは、ノック操作の回数によって、使用する機器３０の選択と機器３０に行わせる動作を選択することが可能となる。このような操作は、一旦覚えてしまえば、例えば、小さな子供や老人等でも簡単に行うことが可能である。また、このような操作の仕方について、ユーザに面白みを覚えさせることが可能である。
【００４０】
また、操作案内表示は、機器３０に対する操作を行わないときには非表示であり、非表示の状態では、操作案内表示の表示箇所は通常の壁面と変わらない状態である。
このため、室内における美観を損なうことがなく、意匠性の高い空間を提供することも可能となる。また、操作を行うときのみ、壁面に操作案内表示が浮かび上がるように表示されることから、ユーザに面白みを感じさせることも可能である。
なお、上述した第一実施形態は、本発明の一例であり、本発明は、上述した第一実施形態に限定されることはなく、この実施形態以外の形態であっても、本発明に係る技術的思想を逸脱しない範囲であれば、設計等に応じて種々の変更が可能である。
【００４１】
（第一実施形態の効果）
第一実施形態の発光性化粧シート１であれば、以下に記載する効果を奏することが可能となる。
（１）筐体層４と、隠蔽シート層８と、意匠性表面保護層１２を備える。筐体層４は、透光性を有し、圧電素子を有する検知センサ部４ａと、アクリル素材で形成されたアクリル基材部４ｂと、検知センサ部４ａが圧電素子により検出した情報に応じて発光する照明機能部４ｃを含む。隠蔽シート層８は、筐体層４に積層され、且つ予め設定した絵柄に応じて、光を透過する透過部８ａと光を遮蔽する遮蔽部８ｂとが形成されている。意匠性表面保護層１２は、隠蔽シート層８に積層され、且つ予め設定した模様が印刷されている。そして、検知センサ部４ａは、筐体層４のうち隠蔽シート層８と対向する面と反対側の面とアクリル基材部４ｂに挟まれ、且つ平面視で透過部８ａと重ならない位置に配置されている。また、照明機能部４ｃは、平面視で、検知センサ部４ａ及びアクリル基材部４ｂと重ならず、且つ透過部８ａと重なる位置に配置されている。これに加え、隠蔽シート層８のうち透過部は、ＪＩＳ  Ｋ７３６１に準拠して測定した全光線透過率が４０［％］以上であり、意匠性表面保護層１２は、ＪＩＳ  Ｋ７３６１に準拠して測定した全光線透過率が４０［％］以上である。
【００４２】
このため、模様に応じた意匠性を有することで化粧材を形成する意匠性表面保護層１２によって、デバイスを形成する層である、筐体層４と隠蔽シート層８を隠蔽することが可能である。
これに加え、照明機能部４ｃが発光した際に、隠蔽シート層８の透過部８ａを透過した光が、意匠性表面保護層１２も透過するため、光を透過するデバイスとして適用することが可能となる。
【００４３】
その結果、意匠性と耐傷性を両立することが可能となるとともに、光を透過するデバイスとして適用することが可能な、発光性化粧シート１を提供することが可能となる。
また、発光性化粧シート１を、スイッチを表示するディスプレイとしても用いることが可能となり、スイッチデバイスとして機能を提供することが可能となる。
【００４４】
（２）意匠性表面保護層１２が、ポリオレフィン系樹脂シートを用いて形成されている。
その結果、発光性化粧シート１に対し、製造コストの増加を抑制することが可能となる。
（３）意匠性表面保護層１２に印刷されている模様を、木目柄とする。
その結果、発光性化粧シート１に対し、木目調の意匠性を付与することが可能となる。
（４）筐体層４が、アクリル素材で形成され、且つＪＩＳ  Ｋ７３６１に準拠して測定した全光線透過率が９０［％］以上である。
その結果、照明機能部４ｃが発光した光を効率よく透過させることが可能となる。
【００４５】
（５）筐体層４の厚さが、２［ｍｍ］以上６［ｍｍ］以下の範囲内である。
その結果、発光性化粧シート１の強度が低下することを抑制することが可能となるとともに、照明機能部４ｃが発光した光の透過率が低下することを抑制することが可能となる。
また、第一実施形態の機器操作システム１００であれば、以下に記載する効果を奏することが可能となる。
【００４６】
（６）機器操作システム１００が、発光性化粧シート１と、検知センサ部４ａが圧電素子により検出した情報に応じて機器３０の動作を制御する動作制御部２０を備える。これに加え、透過部８ａ及び遮蔽部８ｂが、機器３０の操作を案内する操作案内表示が視認されるように形成されている。
その結果、検知センサ部４ａが圧電素子により検出した情報に応じて、透過部８ａを透過した光により機器３０の操作を案内する操作案内表示が視認されるとともに、例えば、照明機器等、建築物に設けられている機器３０の動作を制御することが可能となる。
【００４７】
（変形例）
（１）第一実施形態では、意匠性表面保護層１２に印刷されている模様を、木目柄としたが、これに限定するものではなく、意匠性表面保護層１２に印刷されている模様を、例えば、石目柄や煉瓦柄としてもよい。
（２）遮蔽部８ｂに対する透過部８ａの配置を、発光性化粧シート１を設置した室内に存在する機器の操作の仕方を案内する内容のテキストを形成する配置としたが、これに限定するものではない。
【００４８】
すなわち、例えば、壁面に接触した歩行者等に対し、壁面への接触を停止させるための注意を促すメッセージを視認させたい場合、遮蔽部８ｂに対する透過部８ａの配置を、「壁に触れないで下さい」のテキストを形成する配置としてもよい。
この場合、発光性化粧シート１の構成を、壁面に接触した歩行者等に対し、木目調の意匠を保持した状態で、壁面への接触を停止させるための注意を促すメッセージを視認させる機能を発揮する構成とすることが可能となる。
【実施例】
【００４９】
第一実施形態を参照しつつ、以下、実施例１の発光性化粧シートについて説明する。
（実施例１）
実施例１の発光性化粧シートは、以下の手順で形成した。
・基材
基材の構成は、上述した第一実施形態と同様である。
・筐体層
押出製膜方法によって厚さ３［ｍｍ］に成型されたアクリル板を用いて、切削加工及び接着加工を行うことで形成した。接着加工は、（株）アクリサンデー製の接着剤であるアクリサンデー接着剤を用いて行った。
【００５０】
・検知センサ部
以下の手順により、厚さが１［ｍｍ］の鉄板に圧電センサを形成することで、検知センサ部を形成した。
まず、被コーティング物をプラス極（アース状態）に保持した状態で、コーティング噴霧機の先端に付属している電極針に、マイナス１［ｋＶ］以上９０［ｋＶ］以下の範囲内に設定した高電圧を供給した。これにより、被コーティング物とコーティング噴霧機との両極間に電界を形成して保持した。
【００５１】
次に、コーティング噴霧機の不活性気体噴出ノズルから、不活性気体を被コーティング物に向けて噴射した。また、不活性気体の噴射と同時に、誘電性物質を溶媒に溶解して得た溶液である誘電性溶液を誘電性溶液ノズルより噴射した。そして、誘電性溶液の液滴にマイナスの電荷を与え、コーティング噴霧機に付属する電極針を被コーティング物に対向させた状態で移動させながら、微粒化噴霧を行うことにより、被コーティング物に前駆分極膜を形成した。
【００５２】
その後、電界コーティングを一旦停止し、被コーティング物に向けていたコーティング噴霧機の位置を被コーティング物よりも外側に移動させ、コーティング噴霧機の誘電性溶液ノズルに不活性気体を注入し、誘電性溶液ノズル内に残存する誘電性溶液を排出した。
次に、被コーティング物とコーティング噴霧機との両極間に電界のみを形成して保持し、前駆分極膜を分極させて被コーティング物に圧電・焦電性膜を形成した。
その後、電界コーティング及び電界分極において、電界コーティング及び電界分極して形成した分極膜に熱エネルギーを与えて乾燥させ、さらに、電界分極のみを行うことで、被コーティング物に圧電・焦電性膜を形成して、圧電センサを形成した。
【００５３】
・アクリル基材部
アクリル基材部の構成は、上述した第一実施形態と同様である。
・照明機能部
照明機能部の構成は、上述した第一実施形態と同様である。
・第一接着層
第一接着層の構成は、上述した第一実施形態と同様である。
【００５４】
・隠蔽シート層
厚さを０．３[ｍｍ]に形成したポリプロピレン樹脂製着色熱可塑性樹脂層に対し、３０重量部のカーボンブラック顔料を添加し、押出製膜方法にて形成した。
上記の手順で形成した隠蔽シート層のうち透過部は、ＪＩＳ  Ｋ７３６１に準拠して測定した全光線透過率が５０[％]であった。全光線透過率は、日本電色工業株式会社の分光ヘーズメーター（ＮＤＨ４０００）を用いて測定した。
・第二接着層
第二接着層の構成は、上述した第一実施形態と同様である。
【００５５】
・意匠性表面保護層
ポリオレフィン系樹脂シートとして、厚さを０．０７[ｍｍ]に形成したポリプロピレン樹脂製着色熱可塑性樹脂層を用い、ポリプロピレン樹脂製着色熱可塑性樹脂層に１０重量部の酸化チタン顔料を添加した。
そして、押出製膜方を用いて、表面に絵柄模様層として二液ウレタン樹脂系バインダー樹脂製のグラビアインキにて木目柄を印刷した。
【００５６】
次に、木目柄の上に透明熱可塑性樹脂層として厚さが０．０９[ｍｍ]の透明ポリプロピレン樹脂を押出しラミネートした。
さらに、透明熱可塑性樹脂層の上に表面保護層を形成する前に、乾燥後の塗布量が１．３[ｇ／ｍ２]である二液ウレタン樹脂のリコート層に、乾燥後の塗布量が１０[ｇ／ｍ２]の紫外線硬化型塗料を塗布し、硬化させて形成した。
上記の手順で形成した意匠性表面保護層は、ＪＩＳ  Ｋ７３６１に準拠して測定した全光線透過率が５０[％]であった。全光線透過率は、日本電色工業株式会社の分光ヘーズメーター（ＮＤＨ４０００）を用いて測定した。
【符号の説明】
【００５７】
１…発光性化粧シート、２…基材、４…筐体層、４ａ…検知センサ部、４ｂ…アクリル基材部、４ｃ…照明機能部、６…第一接着層、８…隠蔽シート層、８ａ…透過部、８ｂ…遮蔽部、１０…第二接着層、１２…意匠性表面保護層、２０…動作制御部、３０…機器、１００…機器操作システム
【図１】
2019078532.tif 000003
【図２】
2019078532.tif 000004